(57)【要約】【課題】操作パネル表面に凹凸形状のセンサ領域を有し、操作パネルへ視線を向けなくてもセンサ領域がわかるパネル一体型タッチセンサを提供すること。【解決手段】センサ電極１３ｂを有するセンサフィルム１３と、このセンサフィルム１３を覆う操作パネル１２と、を備えるパネル一体型タッチセンサ１１について、操作パネル１２の表面にセンサ領域１２ｂの周囲が鋭角状に切れ込んだ狭谷部１２ｄを有するものとし、前記センサ領域１２ｂは、周囲を厚肉部１２ｅで囲まれた内側にドーム状に突き出した薄肉部１２ｃからなるものとした。【選択図】図２
2015114793.tif 000002
【特許請求の範囲】
【請求項１】
センサ電極を有するセンサフィルムと、このセンサフィルムを覆う操作パネルと、を備えるパネル一体型タッチセンサにおいて、
操作パネル表面にセンサ領域の周囲が鋭角状に切れ込んだ狭谷部を有することを特徴とするパネル一体型タッチセンサ。
【請求項２】
操作パネルが、周囲を厚肉部で囲まれた内側にドーム状に突き出した薄肉部からなる前記センサ領域を有する請求項１記載のパネル一体型タッチセンサ。
【請求項３】
センサフィルムのセンサ電極を有する部分が、ドーム状の前記薄肉部に追従し、このドーム状内に入り込んでいる請求項２記載のパネル一体型タッチセンサ。
【請求項４】
センサ電極を有するセンサフィルムと、薄肉部とその薄肉部を囲む厚肉部とを備え表面には薄肉部の部分が凹んだ窪みを有し裏面にはこの窪みに対応する部分を含めて段差を有しない単調な面を有する操作パネルと、を位置合わせを行う工程と、
金型によって操作パネルとセンサフィルムとを押圧しながら貼り合せ、薄肉部をドーム状に膨らませて変形させる工程と、を実行するパネル一体型タッチセンサの製造方法。
【請求項５】
ＪＩＳ  Ｋ６２５３規定のＡ硬度で３０°〜６０°の硬さの貼合せパッドを設けた金型で、センサフィルム側に貼合せパッドを当てて押圧する請求項４記載のパネル一体型タッチセンサの製造方法。
【請求項６】
センサ電極を有するセンサフィルムと、表面にはセンサ領域が凹んだ窪みを有し裏面にはこの窪みに対応する部分を含めて段差を有しない単調な面を有する操作パネルと、を位置合わせし、
柔軟性を有する貼合せパッドを備えた下型と、操作パネルのセンサ領域に対応する部位に、立壁で囲われた周囲から逆ドーム状に凹んだ形状のキャビティを有する山型との間で、貼合せパッドがセンサフィルムを押圧するようにして型締めし、
貼合せパッドが前記キャビティまでセンサフィルムと操作パネルを押圧し、周囲が鋭角状に切れ込んだ狭谷部からドーム状に入り込んだセンサ領域を有する操作パネルと、該ドーム状に沿ってその内側にセンサ電極の部分がドーム状に突き出したセンサフィルムと、が一体となったパネル一体型タッチセンサを製造するパネル一体型タッチセンサの製造方法。
【請求項７】
下型の貼合せパッドの表面が、操作パネル裏面の段差を有しない単調な面よりは傾きが大きな面としている請求項６記載のパネル一体型タッチセンサの製造方法。
【発明の詳細な説明】
【技術分野】
【０００１】
本発明は、操作パネルにセンサフィルムを一体化したパネル一体型タッチセンサとその製造方法に関する。
【背景技術】
【０００２】
近年、各種電子機器の入力操作には、センサフィルムが用いられることが多くなってきたが、その表面形状はフラットなデザインが主流となっている。フラットな外観は、従来のメカニカルスイッチとの差別化という点では新規であり、その斬新性が好まれてきたが、そうした一方で操作面が分かり難く、タッチ操作をするときには操作面に視線を向ける必要があった。
【０００３】
そこで、操作する場所を認識しやすいよう、表面に凹凸を設ける技術が提案されており、例えば特開２００９−０４３４７３号公報（特許文献１）にそうした技術が記載されている。しかしながらこの技術では、平坦なセンサフィルムの表面に膨らみを持たせた操作パネルが設けられており、厚みが厚い部分ではセンサの感度が低下するという課題があった。
【０００４】
また別の技術として、特開２０１２−００３７７９号公報（特許文献２）には、３次元Ｒを有する成形体とセンサフィルムを一体とした技術が記載されている。しかしながらこの技術では、全体がなだらかな曲面を描くセンサフィルムであるため、依然として操作パネルに触れただけでは操作部分がわからないという課題があった。
【先行技術文献】
【特許文献】
【０００５】
【特許文献１】特開２００９−０４３４７３号公報
【特許文献２】特開２０１２−００３７７９号公報
【発明の概要】
【発明が解決しようとする課題】
【０００６】
本発明は上記発明で達成できない課題を解決するものである。即ち、操作パネル表面に凹凸形状のセンサ領域を有し、操作パネルへ視線を向けなくてもセンサ領域がわかるパネル一体型タッチセンサを提供するものである。加えて、従来は成形が困難であった鋭角状に切れ込んだ凹部（狭谷部）を有するパネル一体型タッチセンサを提供するものである。
【課題を解決するための手段】
【０００７】
上記目的を達成するため、センサ電極を有するセンサフィルムと、このセンサフィルムを覆う操作パネルと、を備えるパネル一体型タッチセンサについて、操作パネル表面にセンサ領域の周囲が鋭角状に切れ込んだ狭谷部を有することを特徴とするパネル一体型タッチセンサを提供する。
【０００８】
センサフィルムを覆う操作パネルを有するため、センサフィルムが直接外部に剥き出しにならず、センサ電極等を設けたセンサフィルムを保護することができる。また、センサフィルムとは別部材とすることで、操作パネル表面に複雑な形状を施すことができ、また、種々の加飾層を設けることができる。
センサ電極を備えるセンサフィルムを有するため、タッチセンサとして用いることができる。
【０００９】
操作パネル表面にセンサ領域の周囲が鋭角状に切れ込んだ狭谷部を有するため、操作者が操作面を視認しなくても峡谷部に触れることでセンサ領域を認識でき、タッチ操作を行うことができる。また、タッチセンサでありながら峡谷部を有する凹凸形状のある表面であるため、表面が単調な平面である従来タイプのタッチセンサに比べてデザイン性のあるタッチセンサとすることができる。そして、パネル一体型タッチセンサとしたため、タッチセンサを備える外装品として車輌や電子機器に組み込むことができる。
【００１０】
操作パネルが、周囲を厚肉部で囲まれた内側にドーム状に突き出した薄肉部からなる前記センサ領域を有するパネル一体型タッチセンサとすることができる。
操作パネルが厚肉部と薄肉部とを有するため、デザイン性のある操作パネルとすることができ、厚肉部があるため、外力に対して強度のあるタッチセンサとすることができる。
そして、周囲を厚肉部で囲まれた内側にドーム状に突き出した薄肉部からなるセンサ領域を有するため、操作部位を見なくても簡単に操作できるタッチセンサであり、センサ領域がドーム状に突き出しているため、感度が優れたタッチセンサである。
【００１１】
センサフィルムのセンサ電極を有する部分が操作パネルのドーム状の薄肉部に追従してこのドーム状内に入り込んでいるパネル一体型タッチセンサとすることができる。センサ電極に対応するセンサ領域が薄肉部となっており、ドーム状内にセンサフィルムのセンサ電極部分が入り込んでいるため、指などとの接触部位とセンサ電極の距離が短く、感度の高いタッチセンサとすることができる。
【００１２】
また、センサ電極を有するセンサフィルムと、薄肉部とその薄肉部を囲む厚肉部とを備え表面には薄肉部の部分が凹んだ窪みを有し裏面にはこの窪みに対応する部分を含めて段差を有しない単調な面を有する操作パネルと、を位置合わせを行う工程と、金型によって操作パネルとセンサフィルムとを押圧しながら貼り合せ、薄肉部をドーム状に膨らませて変形させる工程と、を実行するパネル一体型タッチセンサの製造方法を提供する。
【００１３】
操作パネルの裏面を段差を有しない単調な面としたため、センサフィルムを隙間無く重ね合わせて両者を一体化することができる。そして、操作パネルとセンサフィルムとを金型によって押圧しながら貼り合せる際に、その両者の間にエアが入り込むのを防ぎ、歩留まり良くパネル一体型タッチセンサを製造することができる。また、裏面が段差を有しない単調な面とした操作パネルとフィルム状のセンサフィルムとを金型によって押圧しながら両者を貼り合わせ、薄肉部をドーム状に膨らませて変形させるため、操作パネルの表面に鋭角状に切れ込む峡谷部を有していてもセンサフィルムが切れたり必要以上に伸びたりすることなく操作パネルとセンサフィルムとが一体化したパネル一体型タッチセンサを得ることができる。
【００１４】
ＪＩＳ  Ｋ６２５３規定のＡ硬度で３０°〜６０°の硬さの貼合せパッドを設けた金型で、センサフィルム側に貼合せパッドを当てて押圧する工程を含むパネル一体型タッチセンサの製造方法とすることができる。
ＪＩＳ  Ｋ６２５３規定のＡ硬度で３０°〜６０°の硬さの貼合せパッドを設けた一方側の金型で、センサフィルム側に貼合せパッドを当てて押圧するため、他方側の金型に設けた凹みに貼合せパッドを追従させ変形させて押し込むことができ、操作パネルの薄肉部とセンサフィルムのセンサ電極部分とを一体としてドーム状に変形することができる。そのため、感度の良いパネル一体型タッチセンサを得ることができる。
【００１５】
そしてまた、センサ電極を有するセンサフィルムと、表面にはセンサ領域が凹んだ窪みを有し裏面にはこの窪みに対応する部分を含めて段差を有しない単調な面を有する操作パネルと、を位置合わせし、柔軟性を有する貼合せパッドを備えた下型と、操作パネルのセンサ領域に対応する部位に、立壁で囲われた周囲から逆ドーム状に凹んだ形状のキャビティを有する山型との間で、貼合せパッドがセンサフィルムを押圧するようにして型締めし、貼合せパッドが前記キャビティまでセンサフィルムと操作パネルを押圧し、周囲が鋭角状に切れ込んだ狭谷部からドーム状に突き出すセンサ領域を有する操作パネルと、該ドーム状に沿ってその内側にセンサ電極の部分がドーム状に入り込んだセンサフィルムと、が一体となったパネル一体型タッチセンサを製造するパネル一体型タッチセンサの製造方法を提供する。
【００１６】
こうした製造方法としたため、表面に鋭角状に切れ込んだ峡谷部を有するデザイン性の高い操作面を有し、センサフィルムが切れたり、必要以上に伸びたりせず、感度が良好なタッチセンサを製造することができる。
【００１７】
そして、下型については、貼合せパッドの表面に操作パネル裏面の段差を有しない単調な面よりは傾きが大きな面を有するものとしたため、操作パネルとセンサフィルムとの貼合せの際のエアの混入をさらに起こしにくくすることができる。
【発明の効果】
【００１８】
本発明のパネル一体型タッチセンサによれば、鋭角状に切れ込んだ狭谷部をセンサ領域の周囲に有するパネル一体型タッチセンサとすることができる。
また、本発明のパネル一体型タッチセンサの製造方法によれば、鋭角状に切れ込んだ狭谷部をセンサ領域の周囲に有するパネル一体型タッチセンサを容易に製造することができる。
【図面の簡単な説明】
【００１９】
【図１】パネル一体型タッチセンサの概略斜視図である。
【図２】図１のＡ−Ａ線断面図である。
【図３】パネル一体型タッチセンサに組み付ける前のセンサフィルムであり、分図３（Ａ）はその平面図、分図３（Ｂ）はその左側面図をそれぞれ示す。
【図４】パネル一体型タッチセンサの一の製造工程を示す説明図である。
【図５】パネル一体型タッチセンサの別の製造工程を示す説明図である。
【図６】パネル一体型タッチセンサのまた別の製造工程を示す説明図である。
【図７】パネル一体型タッチセンサのさらに別の製造工程を示す説明図である。
【図８】パネル一体型タッチセンサの最後の製造工程を示す説明図である。
【発明を実施するための形態】
【００２０】
本発明について実施形態に基づきさらに詳細に説明する。図１および図２にはパネル一体型タッチセンサ１１を示す。このパネル一体型タッチセンサ１１は、操作パネル１２とセンサフィルム１３とを有している。
【００２１】
操作パネル１２は、後述するセンサフィルム１３の表面側に設けてセンサフィルム１３を覆い、保護し、またパネル一体型タッチセンサ１１の外形を形成する部材である。この操作パネル１２が各種電子機器の筐体の一部を構成していても良い。こうした操作パネル１２は樹脂材からなる樹脂プレート１２ａで形成され、その表面には指などの接触を感知するセンサ領域１２ｂを設けている。このセンサ領域１２ｂは、ドーム状に突出した薄肉部１２ｃで形成しており、この薄肉部１２ｃの周囲が鋭角状に切れ込んだ狭谷部１２ｄとなっている。そしてこの峡谷部１２ｄを介してその周囲には操作パネル１２の基本骨格となる肉厚の厚肉部１２ｅとなっている。
【００２２】
ここで、峡谷部１２ｄが鋭角状に切れ込んでいる状態とは、峡谷部１２を形成する薄肉部１２ｃ側の斜面に接する接線と厚肉部１２ｅ側の斜面に接する接線とで作る角度が鋭角であることを意味している。
操作パネル１２の表面には加飾層１２ｆを設け、センサ領域１２ｂを示すスイッチ表示を形成したり、操作パネル１２に着色したりしている。一方で、操作パネル１２の裏面は、厚肉部１２ｅから薄肉部１２ｃにかけて段差を有しない単調な面となっており、滑らかに連続的に繋がる面としている。
【００２３】
操作パネル１２の材質には、熱可塑性樹脂を用いる。熱可塑性樹脂としては、例えば、ポリカーボネート（ＰＣ）樹脂、ポリメチルメタクリレート（ＰＭＭＡ）樹脂、アクリロニトリル・スチレン（ＡＳ）樹脂、アクリロニトリル・ブタジエン・スチレン（ＡＢＳ）樹脂などを挙げることができる。
操作パネル１２の表面に設けた加飾層１２ｆは、例えば塗層、印刷層、樹脂層などとして形成することができる。但しこの加飾層１２ｆは、操作パネル１２とは別の樹脂フィルムに加飾要素を印刷形成した加飾フィルムとして設けることもできる。この場合には、この加飾フィルムを操作パネル１２に積層する。
【００２４】
パネル一体型タッチセンサ１１に組み付ける前のセンサフィルム１３を図３に示す。センサフィルム１３は、基材となる樹脂フィルム１３ａ上にセンサ電極１３ｂを設けたものであり、センサ電極１３ｂはレジスト層１３ｃで被覆している。また、センサ電極１３ｂからは配線１３ｄが延び、この配線は樹脂フィルム１３ａの端部に設けた電極端子１３ｅにつながっている。そしてこの電極端子１３ｅを外部に設けたＩＣチップなどのある解析回路部に接続し、センサ電極１３ｂから得た検知信号を解析する。
【００２５】
樹脂フィルム１３ａは、例えば、ポリエチレンテレフタレート（ＰＥＴ）樹脂、ポリエチレンナフタレート（ＰＥＮ）樹脂、ポリカーボネート（ＰＣ）樹脂、ポリメチルメタクリレート（ＰＭＭＡ）樹脂、ポリプロピレン（ＰＰ）樹脂、ポリウレタン（ＰＵ）樹脂、ポリアミド（ＰＡ）樹脂、ポリエーテルサルフォン（ＰＥＳ）樹脂、ポリエーテルエーテルケトン（ＰＥＥＫ）樹脂、トリアセチルセルロース（ＴＡＣ）樹脂、シクロオレフィンポリマー（ＣＯＰ）などから形成することができる。
樹脂フィルム１３ａには、透明な樹脂フィルムを用いることができる。パネル一体型タッチセンサ１１をディスプレイとしても用いるような場合に、センサフィルム１３の裏面に設けたディスプレイからの表示を樹脂フィルム１３ａを通じて視認させる必要があるからである。したがってここで言う透明とは、センサフィルム１３の裏面に設けた表示を、センサフィルム１３の表面から視認できる程度の透明性をいう。
樹脂フィルム１３ａには、導電性高分子との密着性を高めるプライマー層や、帯電防止等を目的とするオーバーコート層などを設けて表面処理を施しても良い。
【００２６】
センサ電極１３ｂは、導電性高分子を含む層で形成することが好ましい。導電性高分子を用いることとしたのは、液状の塗液を形成し印刷形成することができ、ＩＴＯ等と比べて安価にセンサ電極１３ｂを得ることができるからである。センサ電極１３ｂとなる導電性高分子の材質には、センサフィルム１３を透明にするには、ポリパラフェニレンまたはポリアセチレン、ＰＥＤＯＴ−ＰＳＳ（ポリ−３，４−エチレンジオキシチオフェン−ポリスチレンスルホン酸）等が例示できる。
【００２７】
センサ電極１３ｂの層厚は、０．０４μｍ〜１μｍが好ましく、０．０６μｍ〜０．４μｍがさらに好ましい。層厚が０．０４μｍ未満であるとセンサ電極１３ｂの抵抗値が高くなりすぎるおそれがあり、層厚が１μｍを超えると透明性が低くなるおそれがあるからである。なお、センサ電極１３ｂの層厚は、樹脂フィルム１３ａにセンサ電極１３ｂを塗布し、原子間力顕微鏡（ＡＦＭ）を用いて測定することができる。
【００２８】
配線１３ｄは、例えば、銅、アルミニウム、銀またはそれらの金属を含む合金等の高導電性金属を含む導電ペーストや導電インキから形成されることが好ましい。また、これらの金属や合金の中でも導電性が高く、銅よりも酸化し難いという理由から銀配線とすることが好ましい。
電極端子１３ｅは、配線１３ｄの先端をカーボンインキで覆うことで形成することができる。
【００２９】
レジスト層１３ｃは、センサ電極１３ｂ間の導通防止と、センサ電極１３ｂを紫外線や、引っ掻き等から保護するために設けられる絶縁性の被膜であり、透明性がある方が好ましい。また、銀ペーストや金属からなる配線１３ｄの硫化を防止する用途としても好適である。
レジスト層１３ｃとなる樹脂には、硬質の樹脂が選択され、例えば、アクリル系やウレタン系、エポキシ系、ポリオレフィン系の樹脂、その他の樹脂を用いることができるが、ポリイソシアネート成分とポリオール成分を含んでなる原料組成物を硬化させたポリウレタン系樹脂層やポリウレタン・ポリウレア系樹脂層とすることは好ましい一態様である。硬度調整がし易く、強度が高いからである。
【００３０】
レジスト層１３ｃの厚さは、通常は、６μｍ〜３０μｍであり、好ましくは１０μｍ〜２０μｍである。その理由は、厚すぎると柔軟性に乏しくなり、薄すぎるとセンサ電極１３ｂの保護が不十分となるおそれがあるからである。
【００３１】
操作パネル１２とセンサフィルム１３との積層にあたり、その界面に接着層１４を設けることができる。接着層１４には、ホットメルト接着剤、粘着剤、両面粘着テープ等を用いることができる。ホットメルト接着剤は、常温ではタックがないため、センサフィルム１３を操作パネル１２と一体化するときに、不用意に金型や操作パネル１２に付着することがなく、作業性が良いというメリットがある。一方、粘着剤や両面粘着テープは、表面が粘着性を有しているため仮止めでき、位置合せが容易であるというメリットがある。
【００３２】
ホットメルト接着剤や粘着剤による接着層１４の厚さは、通常は６μｍ〜４０μｍであり、好ましくは１２μｍ〜３０μｍである。その理由は、薄すぎると接着力が弱くなるおそれがあり、逆に厚すぎても接着力はそれ以上向上せず、センサフィルム１３の厚みをいたずらに厚くするだけであるからである。一方、両面粘着テープによる接着層１４の厚さは、２５μｍ〜１００μｍであることが好ましい。その理由は、厚すぎると透明性が低下するおそれがあり、薄すぎると接着力が弱くなるおそれがあるとともに、作業性が悪くなるためである。
【００３３】
次にパネル一体型タッチセンサ１１の一の製造方法を図４〜図８に示す。
ここでは、操作パネル１２とセンサフィルム１３とを別々に成形しておき（図示せず）、一体成形により両者を固着して製造する方法について説明する。
【００３４】
センサフィルム１３は、樹脂フィルム１３ａの表面にセンサ電極１３ｂ、配線１３ｄ、電極端子１３ｅ、レジスト層１３ｃをそれぞれ印刷等で形成し、樹脂フィルム１３ａの裏面には接着層１４を形成する。接着層１４はホットメルト樹脂や粘着剤では印刷形成し、両面粘着テープでは貼り付けて形成する。一方、操作パネル１２は射出成形等により成形し表面に加飾層１２ｆを設ける。加飾層１２ｆは、操作パネル１２上に転写フィルムから転写したり、操作パネル１２に直接印刷したりして形成することができるが、加飾層１２ｆを設けた樹脂フィルムを操作パネル１２の成形時にインサート成形したり、加飾層１２ｆとなる樹脂と操作パネル１２となる樹脂を二色成形したりする方法も採用することができる。
【００３５】
金型に挿入するときの操作パネル１２の表面は、図４で示すように、薄肉部１２ｃがドーム状に形成されておらず、厚肉部１２ｅとの間に窪み１２ｇを有するだけで峡谷部１２ｄも形成されていない。一方、操作パネル１２の裏面は、窪みが無く、厚肉部１２ｅと薄肉部１２ｃとを含む全体がなだらかな弓なりのカーブを描き、段差を有しない単調な曲面となっている。そして、全体的に弓形の２次元Ｒを形成している。
【００３６】
センサフィルム１３と操作パネル１２とを一体化するのに用いる金型は、以下の特徴を有している。
下型１５は、センサフィルム１３を押圧する押圧面（上面）にドーム状の貼合せパッド１５ａを備えている。貼合せパッド１５ａは操作パネル１２の薄肉部１２ｃをドーム状に形成できるように柔軟性があることが要求される。そのため、貼合せパッド１５ａは所定の硬さを有するゴム状弾性を有する材質で形成することが好ましい。
【００３７】
そうした貼合せパッド１５ａの硬さは、好ましくはＪＩＳ  Ｋ６２５３規定のＡ硬度で３０°〜６０°である。３０°より柔らかいと、圧力が側面側に逃げて、薄肉部１２ｃに十分な圧力がかからないおそれがある。６０°よりも硬いと貼合せパッド１５ａが変形し難く、繰り返し使用による耐久性が不十分となるおそれがある。
上型１６は、操作パネル１２の完成品の外形に即した形状に形成されており、所定のセンサ領域１２ｂを形成できるよう立壁で囲われた周囲から逆ドーム状に凹んだ形状のキャビティ１６ａを有している。
【００３８】
操作パネル１２とセンサフィルム１３は、下型１５にセットする。このとき、下型１５も上型１６も所定の温度に加熱しておくことが好ましい。この加熱温度は、操作パネル１２とセンサフィルム１３の材料に依存して決定する。一例を示すと、ポリカーボネート樹脂からなる操作パネル１２と、ポリエチレンテレフタレートフィルムを用いたセンサフィルム１３の場合は、両金型１５、１６の温度は８０℃〜１５０℃とすることが好ましく、より好ましくは９０℃〜１２０℃である。
金型温度が８０℃未満では、両樹脂が十分に加熱されてないため、変形し難かったり、変形させた部分が白化したりするおそれがある。一方、金型温度が１５０℃を超えると、操作パネル１２が必要以上に軟化し、金型１５，１６を開いたときに成形品が歪んでしまうおそれがある。但し、金型温度を１５０℃を超える温度としても、金型１５，１６を冷却してから開くようにすれば、冷却工程が含まれるという不都合はあるが、歪みを生じさせずに成形品を得ることができる。
【００３９】
センサフィルム１３の位置を規定するガイド（図示せず）に沿ってセンサフィルム１３を下型１５に配置し、その上側に操作パネル１２を配置する。図５で示すように、下型１５の貼合せパッド１５ａの表面は、操作パネル１２の裏面よりも、やや急なカーブを描いている。こうした下型１５を用いることで、上型１６を下降させて型締めする際にセンサフィルム１３や操作パネル１２の中央から周囲に向かって順次圧力が加わるようにすることで、センサフィルム１３と操作パネル１２の間への気泡の混入を防止することができる。
【００４０】
次に、下型１５と上型１６を型締めしていくが、図６で示すように、上型１６に操作パネル１２が嵌まり、上型１６のキャビティ１６ａの形状に対して操作パネル１２の薄肉部１２ｃが変形しない状態から、両金型１５，１６を閉じた状態で所定時間加圧・加熱すると、図７で示すように、貼合せパッド１５ａが所定の柔軟性を有するため、薄肉部１２ｃとセンサフィルム１３とをキャビティ１６ａに沿う位置まで押圧して変形させる。こうして、薄肉部１２ｃをドーム状に形成し、センサフィルム１３をこれに追従させてドーム状に形成することができる。その後、図８で示すように、両金型１５，１６を開けば操作パネル１２とセンサフィルム１３とが一体化したパネル一体型タッチセンサ１１を得ることができる。
【００４１】
パネル一体型タッチセンサ１１は、厚肉部１２ｅの部分が操作パネル１２の基本骨格を形成するため、剛性の高いパネル一体型タッチセンサとすることができる。そして、タッチ操作の際に操作パネル１２が歪んだり、軋んだりすることがなく、安定感のある入力操作ができる。
また、薄肉部１２ｃと厚肉部１２ｅとの境界が峡谷部１２ｄとなっており、センサ領域１２ｂとなる薄肉部１２ｃとその周囲である厚肉部１２ｅとの境界が明確で、操作パネル１２へ視線を向けなくても操作部位を認識することができる。
【００４２】
上記実施形態は本発明の一例であり、こうした形態に限定されるものではなく、本発明の趣旨に反しない限度において、各部材の形状、材質、製造方法等の変更形態を含むものである。例えば、下型１５に貼合せパッド１５ａを設けて押圧することで薄肉部１２ｃをドーム状に形成したが、高温高圧の空気により薄肉部１２ｃを変形させる方法等でドーム状に形成することもできる。
【符号の説明】
【００４３】
１１    パネル一体型タッチセンサ
１２    操作パネル
１２ａ    樹脂プレート
１２ｂ    センサ領域
１２ｃ    薄肉部
１２ｄ    峡谷部
１２ｅ    厚肉部
１２ｆ    加飾層
１２ｇ    窪み
１３    センサフィルム
１３ａ    樹脂フィルム
１３ｂ    センサ電極
１３ｃ    レジスト層
１３ｄ    配線
１３ｅ    電極端子
１４    接着層
１５    下型
１５ａ    貼合せパッド
１６    上型
１６ａ    キャビティ
【図１】
2015114793.tif 000003
【図２】
2015114793.tif 000004
【図３】
2015114793.tif 000005
【図４】
2015114793.tif 000006
【図５】
2015114793.tif 000007
【図６】
2015114793.tif 000008
【図７】
2015114793.tif 000009
【図８】
2015114793.tif 000010